(57)【要約】  −前面（１２）と背面（１１）とを含む太陽光発電モジュール（１）と、下部面（２１）と上部面（２２）とを含む熱交換器（２）であって、前記上部面（２２）が太陽光発電モジュール（１）の背面（１１）に対面して配置されている、熱交換器と、太陽光発電モジュール（１）および熱交換器（２）を取り囲む剛性フレーム（８）と、前記交換器（２）が太陽光発電モジュール（１）の背面（１１）に押付けられる形で交換器（２）の下部面（２１）に対して圧縮力を及ぼすように適応された少なくとも１つの弾性要素（３）と、を含む、ハイブリッドソーラーパネル（Ｐ）であって、−  弾性要素（３）は少なくとも１つの足場要素（４）を足場とし、前記足場要素（４）は、足場要素（４）に対し弾性要素（３）が及ぼす圧縮力の少なくとも一部分が前記フレーム（８）により取込まれるような形でフレーム（８）と結合状態にあり、−  足場要素（４）は、交換器（２）の下に配置され、前記交換器（２）の幅および／または長さ内に延在している、ハイブリッドソーラーパネルにおいて、−  少なくとも１つの阻止要素（５）が交換器（２）に固定されており、−  阻止要素（５）が足場要素（４）と相互作用して、パネル（Ｐ）の長さ方向および幅方向で交換器（２）の並進運動を阻止し、こうしてフレーム（８）の内部で、前記交換器（２）がその自重下で滑り動くのを防げているハイブリッドソーラーパネル（Ｐ）とする。【選択図】図９
2019510381.tif 000002
【特許請求の範囲】
【請求項１】
−  前面（１２）と背面（１１）とを含む太陽光発電モジュール（１）と、
−  下部面（２１）と上部面（２２）とを含む熱交換器（２）であって、前記上部面（２２）が太陽光発電モジュール（１）の背面（１１）に対面して配置されている、熱交換器と、
−  太陽光発電モジュール（１）および熱交換器（２）を取り囲む剛性フレーム（８）と、
−  前記交換器（２）が、太陽光発電モジュール（１）の背面（１１）に押付けられる形で交換器（２）の下部面（２１）に対して圧縮力を及ぼすように適応された少なくとも１つの弾性要素（３）と、
を含む、ハイブリッドソーラーパネル（Ｐ）であって、
−  弾性要素（３）は少なくとも１つの足場要素（４）を足場とし、前記足場要素（４）は、足場要素（４）に対し弾性要素（３）が及ぼす圧縮力の少なくとも一部分が前記フレーム（８）により取込まれるような形でフレーム（８）と結合状態にあり、
−  足場要素（４）は、交換器（２）の下に配置され、前記交換器（２）の幅および／または長さ内に延在している、ハイブリッドソーラーパネルにおいて、
−  少なくとも１つの阻止要素（５）が交換器（２）に固定されていること、
−  阻止要素（５）が足場要素（４）と相互作用して、パネル（Ｐ）の長さ方向および幅方向で交換器（２）の並進運動を阻止し、こうしてフレーム（８）の内部で、前記交換器（２）がその自重下で滑り動くのを防げていること、
を特徴とする、ハイブリッドソーラーパネル（Ｐ）。
【請求項２】
阻止要素（５）が交換器（２）の下部面（２１）の中心に位置付けされていることを特徴とする、請求項１に記載のハイブリッドソーラーパネル（Ｐ）。
【請求項３】
−  フレーム（８）が、パネル（Ｐ）の固定用支持体に接して位置付けされるように適応された下部面を有すること、
−  足場要素（４）は、前記足場要素が弾性要素（３）により応力を受けた場合に、前記フレームの下部面を含む平面（８０）を超えないように構成されていること、
を特徴とする、請求項１に記載のハイブリッドソーラーパネル（Ｐ）。
【請求項４】
交換器（２）下に配置され各々前記交換器（２）の幅内に延在する少なくとも３つの足場要素（４）を含み、これらの足場要素（４）が前記交換器（２）の長さ内に規則的間隔で設置された形材の形を呈していることを特徴とする、請求項１〜３のいずれか１つに記載のハイブリッドソーラーパネル（Ｐ）。
【請求項５】
交換器（２）下に配置され各々前記交換器（２）の長さ内に延在する少なくとも３つの足場要素（４）を含み、これらの足場要素（４）が前記交換器（２）の幅内に規則的間隔で設置された形材の形を呈していることを特徴とする、請求項１〜３のいずれか１つに記載のハイブリッドソーラーパネル（Ｐ）。
【請求項６】
複数の弾性要素（３）が各形材（４）の長さ内に分布していることを特徴とする、請求項４または５に記載のハイブリッドソーラーパネル（Ｐ）。
【請求項７】
弾性要素（３）は、前記弾性要素が前記形材（４）全体を考慮して５点形に配設されるような形で各形材（４）の中に分布していることを特徴とする、請求項６に記載のハイブリッドソーラーパネル（Ｐ）。
【請求項８】
足場要素（４）が、１つの底壁（４１）および２つの側方分岐（４２ａ、４２ｂ）により境界が定められたＵ字形材の形を呈しており、これらの分岐はそれらの自由端部のレベルで開口部を画定し、前記形材は前記開口部が交換器（２）の下部面（２１）に向けられるような形で配列されており、弾性要素（３）は前記形材の底壁（４１）を足場としていることを特徴とする、請求項１〜７のいずれか１つに記載のハイブリッドソーラーパネル（Ｐ）。
【請求項９】
足場要素（４）は、交換器（２）の下に配置され前記交換器（２）の下部面（２１）の全表面にわたり延在する板の形を呈することを特徴とする、請求項１〜３のいずれか１つに記載のハイブリッドソーラーパネル（Ｐ）。
【請求項１０】
足場要素（４）がハニカム状であることを特徴とする、請求項９に記載のハイブリッドソーラーパネル（Ｐ）。
【請求項１１】
複数の弾性要素（３）が、交換器（２）の下部面（２１）の全表面にわたり一様に分布していることを特徴とする、請求項９または１０に記載のハイブリッドソーラーパネル（Ｐ）。
【請求項１２】
弾性要素（３）が５点形に配設されていることを特徴とする、請求項９または１０に記載のハイブリッドソーラーパネル（Ｐ）。
【請求項１３】
各弾性要素（３）が圧縮コイルばねの形を呈することを特徴とする、請求項１〜１２のいずれか１つに記載のハイブリッドソーラーパネル（Ｐ）。
【請求項１４】
足場要素（４）と交換器（２）の下部面との間に設置された波形の板を含み、前記波形の板はその波形が弾性要素（３）を形成するように構成されていることを特徴とする、請求項１〜１２のいずれか１つに記載のハイブリッドソーラーパネル（Ｐ）。
【請求項１５】
弾性要素（３）がプラスチック製または亜鉛メッキ鋼製、またはステンレス鋼製であることを特徴とする、請求項１〜１４のいずれか１つに記載のハイブリッドソーラーパネル（Ｐ）。
【請求項１６】
弾性要素（３）が前方端部（３２）と後方端部（３１）を含み、交換器（２）の下部面（２１）と前記前方端部（３２）との間に保護手段が置かれていることを特徴とする、請求項１〜１５のいずれか１つに記載のハイブリッドソーラーパネル（Ｐ）。
【請求項１７】
保護手段が、交換器（２）の下部面（２１）と弾性要素（３）の前方端部（３２）との間に設置された剛性板の形を呈していることを特徴とする、請求項１６に記載のハイブリッドソーラーパネル（Ｐ）。
【請求項１８】
保護手段が、交換器（２）の下部面（２１）と弾性要素（３）の前方端部（３２）との間に置かれたキャップの形を呈していることを特徴とする、請求項１６に記載のハイブリッドソーラーパネル（Ｐ）。
【請求項１９】
保護手段が、交換器（２）の下部面（２１）と弾性要素（３）の前方端部（３２）との間に置かれた発泡プラスチック製要素の形を呈していることを特徴とする、請求項１６に記載のハイブリッドソーラーパネル（Ｐ）。
【請求項２０】
弾性要素（３）の後方端部（３１）と足場要素（４）との間に維持要素が置かれていることを特徴とする、請求項１〜１９のいずれか１つに記載のハイブリッドソーラーパネル（Ｐ）。
【請求項２１】
維持要素が粘着性要素であることを特徴とする、請求項２０に記載のハイブリッドソーラーパネル（Ｐ）。
【請求項２２】
足場要素（４）間に断熱要素（６ａ）が間置されていることを特徴とする、請求項１〜８のいずれか１つに記載のハイブリッドソーラーパネル（Ｐ）。
【発明の詳細な説明】
【技術分野】
【０００１】
本発明は、熱交換器の固定用装置を備えたハイブリッドソーラーパネルを目的とする。
【０００２】
本発明は、ハイブリッドソーラーパネルの組立て用システムの技術分野に関する。
【背景技術】
【０００３】
太陽光発電ソーラーパネルは、太陽放射から電気エネルギーを生成することを可能にする。太陽光発電ソーラーパネルは、光電効果の原理にしたがって機能する複数の太陽光発電素子（電池または薄層）を含む。概して、複数の太陽光発電素子が、１枚の太陽光発電ソーラーパネル上で互いに連結され、複数のパネルが連結されて太陽光設備を形成する。この設備は、その場で消費されるかまたは配電網に給電することのできる電気を生成する。
【０００４】
太陽光発電ソーラーパネルは、太陽放射のわずかな部分しか電気に変換せず、残りは使用されない熱である。約−０．４５％／℃の温度に伴う太陽光発電素子の効率の低下が確認できることから、この熱は、ソーラーパネルの電気的性能にとって不利である。このような理由から、太陽光発電ソーラーパネルを冷却することには、２重に利点がある。実際、太陽光発電素子の効率が増大するだけでなく、冷却の熱量は、多少の差こそあれ複雑である加熱システムにおいて利用することができる。この場合それは、電気エネルギーと熱エネルギーを同時に生成する能力を有するハイブリッドソーラーパネルのことである。
【０００５】
概して、太陽光発電モジュールを冷却するような形で太陽光発電モジュールの背面に対面して熱交換器が配置される。国際公開第２０１２／０６９７５０号（ＳＯＬＡＩＲＥ  ２Ｇ）は、太陽光発電素子と接触した状態にある熱交換器で構成されたハイブリッドソーラーパネルを提案している。一般的に、熱交換器は、接着さらには直接的ラミネーション（ラミネーションは太陽光発電の分野において公知の典型的な方法である）などのさまざまな方法によって、太陽光発電モジュールに固定される。
【０００６】
このような方法により、太陽光発電モジュールに交換器を一体化することに加えて、空気の存在を回避し、こうして熱性能を改善することができる。しかしながら、これらの技術には、接着剤（またはポリマー）の厚みを厚くする必要があるという欠点がある。
【０００７】
さまざまな技術が、利用の際のパネルのさまざまな部分の膨張により生み出される変形を軽減することを可能にしている：
−  太陽光発電モジュールの前面の膨張率から離れた膨張率を有する材料（例えば銅、アルミニウム、またはさらにはポリマー材料）で製造された交換器を一体化できるようにする接着剤が開発されている。しかしながら、これらの接着剤は極めて高価で、ハイブリッドソーラーパネルの製造価格を著しく増大させる。
−  仏国特許第１１５６５５０号明細書（ＳＯＬＡＩＲＥ  ２Ｇ）は、より廉価な接着剤の使用を提案している。しかしながら、これらの接着剤は、膨張率の近接した２つの材料の接着のみに有効である。
−  国際公開第２００９１４９５７２号（ＩＤＳ  ＨＯＬＤＩＮＧ  ＡＧ）は、ガラスとアルミニウムとの間の膨張を制限するために交換器が細分されているパネルを提案している。しかし、このようなパネルは製造および設置が極めて複雑である。
【０００８】
上述の技術は全て、非常に高い原価、設置の難しさ、またさらには使用可能な材料タイプの制限などの欠点を有する。独国特許第１０  ２０１１  １２２  １２６号明細書（ＰＡ−ＩＤ  ＡＵＴＯＭＡＴＩＯＮ＆ＶＥＲＭＡＲＫＴＵＮＧ  ＧＭＢＨ）は、これらの欠点のいくつかを軽減する装置を提案している。この文献は、以下のものを含むソーラーパネルを提案している：
−  太陽光発電モジュール、
−  太陽光発電モジュールに接して配置された熱交換器、
−  太陽光発電モジュールおよび交換器を取り囲む剛性フレーム、
−  および、フレームと直接噛合し、太陽光発電モジュールに押付けるような形で交換器に対して圧縮力を及ぼすように適応された２つの弾性要素。
【０００９】
しかしながら、このような装置によって得られる押付けは、極めて特定の部分において圧縮力を及ぼす弾性要素が２つしか含まれていないことから、交換器の表面全体にわたり均一ではない。したがってこのようなハイブリッドソーラーパネルの効率は最適なものではない。その上、熱交換器が太陽光発電モジュールに押付けられているとしても、しかしながら、フレームの内部で長手方向および短手方向に移動し得、この移動は、流体コネクタの破損をひき起こす可能性があり、こうしてこれらのコネクタが交換器から引き離されるか一体化を解除される恐れがある。したがって、このようなソーラーパネルを取り扱う際のその信頼性は不確実であり得る。
【００１０】
ハイブリッドソーラーパネルが論文、Ａ．ＫＲＯＩＳＳら：「Ｄｅｖｅｌｏｐｍｅｎｔ  ｏｆ  ａ  ｓｅａｗａｔｅｒ−ｐｒｏｏｆ  Ｈｙｂｒｉｄ  Ｐｈｏｔｏｖｏｌｔａｉｃ／ｔｈｅｒｍａｌ（ＰＶ／Ｔ）Ｓｏｌａｒ  Ｃｏｌｌｅｃｔｏｒ」、ＥＮＥＲＧＹ  ＰＲＯＣＥＤＩＡ、ｖｏｌ．５２；１  ｊａｎｖｉｅｒ  ２０１４（２０１４−０１−０１）、９３〜１０３頁中に記載されている。このハイブリッドソーラーパネルは、交換器が押付けられた太陽光発電モジュールで構成されている。交換器を押付けるためには、ばねの足場となる棒材が使用される。棒材は、ネジシステムにより剛性フレームの背面上に固定される。しかしながら、このソーラーパネルの設計は、比較的複雑であり、フレームの内部での交換器の移動という上述の問題はなおも存在する。
【００１１】
他の類似のソーラーパネルが、独国特許第１０  ２０１１  １０７３９３号明細書（ＳＯＬＶＩＳ）および米国特許出願公開第２０１５／３４９１７８号明細書（ＲＵＢＩＯ）中に記載されているが、しかしながら、交換器の移動に関わる諸問題は適切に解決されていない。
【先行技術文献】
【特許文献】
【００１２】
【特許文献１】国際公開第２０１２／０６９７５０号
【特許文献２】仏国特許第１１５６５５０号明細書
【特許文献３】国際公開第２００９１４９５７２号
【特許文献４】独国特許第１０  ２０１１  １２２  １２６号明細書
【特許文献５】独国特許第１０  ２０１１  １０７３９３号明細書
【特許文献６】米国特許出願公開第２０１５／３４９１７８号明細書
【非特許文献】
【００１３】
【非特許文献１】Ａ．ＫＲＯＩＳＳら：「Ｄｅｖｅｌｏｐｍｅｎｔ  ｏｆ  ａ  ｓｅａｗａｔｅｒ−ｐｒｏｏｆ  Ｈｙｂｒｉｄ  Ｐｈｏｔｏｖｏｌｔａｉｃ／ｔｈｅｒｍａｌ（ＰＶ／Ｔ）Ｓｏｌａｒ  Ｃｏｌｌｅｃｔｏｒ」、ＥＮＥＲＧＹ  ＰＲＯＣＥＤＩＡ、ｖｏｌ．５２；１  ｊａｎｖｉｅｒ  ２０１４（２０１４−０１−０１）、９３〜１０３頁
【発明の概要】
【発明が解決しようとする課題】
【００１４】
本発明は、この状況を改善することを目的とする。詳細には、本発明の目的は、特に取り扱いの際の信頼性を極めて高くする設計を有するハイブリッドソーラーパネルを提案することにある。
【００１５】
本発明の別の目的は、太陽光発電モジュールに対する熱交換器の押付けの均一性を改善することにある。
本発明のさらに別の目的は、太陽光発電モジュールと熱交換器との間の熱交換を改善することにある。
本発明のさらに別の目的は、製造コストが低い高性能ハイブリッドソーラーパネルを得ることにある。
【００１６】
本発明の補足的な目的は、設計が単純化され美観が改善された頑丈なハイブリッドソーラーパネルを得ることにある。
【００１７】
本発明の別の目的は、値の大きく異なる膨張率を有する材料を使用することのできるハイブリッドソーラーパネルを得ることにある。
【課題を解決するための手段】
【００１８】
本発明が提案する解決法は、
−  前面と背面とを含む太陽光発電モジュールと、
−  下部面と上部面とを含む熱交換器であって、前記上部面が太陽光発電モジュールの背面に対面して配置されている、熱交換器と、
−  太陽光発電モジュールおよび熱交換器を取り囲む剛性フレームと、
−  前記交換器が太陽光発電モジュール背面に押付けられる形で交換器の下部面に対して圧縮力を及ぼすように適応された少なくとも１つの弾性要素と、
を含む、ハイブリッドソーラーパネルであって、
−  弾性要素は少なくとも１つの足場要素を足場とし、前記足場要素は、足場要素に対し弾性要素が及ぼす圧縮力の少なくとも一部分が前記フレームにより取込まれるような形でフレームと結合状態にあり、
−  足場要素は、交換器の下に配置され、前記交換器の幅および／または長さ内に延在している、ハイブリッドソーラーパネルである。
【００１９】
本発明は、
−  少なくとも１つの阻止要素が交換器に固定されていること、
−  阻止要素が足場要素と相互作用して、パネルの長さ方向および幅方向で交換器の並進運動を阻止し、こうしてフレームの内部で、前記交換器がその自重下で滑り動くのを防げていること、
を特徴とする。
【００２０】
交換器は今や、流体コネクタがより一層確実に保持されパネルがより信頼性の高いものとなるように、フレーム内部の所定の位置に完全に維持されている。さらに、パネルの独特の設計により、太陽光発電モジュールに対する交換器のより均一な押付けを得ることができる。さまざまな弾性要素の圧縮力は、前述の独国特許第１０  ２０１１  １２２  １２６号明細書（ＰＡ−ＩＤ  ＡＵＴＯＭＡＴＩＯＮ＆ＶＥＲＭＡＲＫＴＵＮＧ  ＧＭＢＨ）中のように局在化された部分においてではなく、前記交換器の全表面にわたり加えられる。
【００２１】
本発明の他の有利な特徴を以下で列挙する。これらの特徴の各々は、単独でまたは上述の顕著な特徴と組合せた形で考慮され得、場合によって１つまたは複数の分割する特許出願の対象となることができる：
−  阻止要素は、有利には、交換器の下部面の中心に位置付けされている；
−  フレームは、好ましくはパネルの固定用支持体に接して位置付けされるように適応された下部面を有し、足場要素は、前記足場要素が弾性要素により応力を受けた場合に、前記フレームの下部面を含む平面を超えないように構成されている；
−  ハイブリッドソーラーパネルは、交換器の下に配置され各々前記交換器の幅内に延在する少なくとも３つの足場要素を含むことができ、これらの足場要素は前記交換器の長さ内に規則的間隔で設置された形材の形を呈している；
−  ハイブリッドソーラーパネルは、交換器の下に配置され各々前記交換器の長さ内に延在する少なくとも３つの足場要素を含むことができ、これらの足場要素は、前記交換器の幅内に規則的間隔で設置された形材の形を呈している；
−  複数の弾性要素が各形材の長さ内に分布し得る；
−  弾性要素は、前記弾性要素が前記形材全体を考慮して５点形に配設されるような形で各々の形材の中に分布し得る；
−  足場要素は、１つの底壁および２つの側方分岐により境界が定められたＵ字形材の形を呈していてよく、これらの分岐はそれらの自由端部のレベルで開口部を画定し、前記形材は前記開口部が交換器の下部面に向けられるような形で配列されており、弾性要素は前記形材の底壁を足場としている；
−  足場要素は、交換器の下に配置され前記交換器の下部面の全表面にわたり延在する板の形を呈することができる；
−  足場要素は、ハニカム状の板の形を呈することができる；
−  複数の弾性要素は、交換器の下部面の全表面にわたり一様に分布していてよい；
−  弾性要素は、５点形に配設されていてよい；
−  弾性要素は、圧縮コイルばねの形を呈することができる；
−  ハイブリッドソーラーパネルは、足場要素と交換器の下部面との間に設置された波形の板を含むことができ、前記波形の板はその波形が弾性要素を形成するように構成されている；
−  弾性要素は、プラスチック製または亜鉛メッキ鋼製、またはステンレス鋼製であり得る；
−  弾性要素は、前方端部と後方端部を含むことができ、交換器の下部面と前記前方端部との間に保護手段が置かれている；
−  保護手段は、交換器の下部面と弾性要素の前方端部との間に設置された剛性板の形、交換器の下部面と弾性要素の前方端部との間に置かれたキャップの形、あるいは交換器の下部面と弾性要素の前方端部との間に置かれた発泡プラスチック製要素の形を呈することができる；
−  弾性要素の後方端部と足場要素との間に維持要素を置くことができる；
−  維持要素は、粘着性要素であり得る；
−  足場要素間に断熱要素を間置することができる。
【００２２】
本発明の他の利点および特徴は、限定的ではなく例示を目的として作成された添付図面を参照しながら以下に記載していく好ましい実施形態の説明を読むことで、より良く理解できるであろう。
【図面の簡単な説明】
【００２３】
【図１】太陽光発電モジュールを形成するさまざまな層の概略的断面図である。
【図２】本発明に係るハイブリッドソーラーパネルの概略的下面図であり、足場要素は形材の形を呈している。
【図３ａ】図２のハイブリッドソーラーパネルのＢ−Ｂに沿った断面図である。
【図３ｂ】図２のハイブリッドソーラーパネルのＡ−Ａに沿った断面図である。
【図４ａ】図２のパネルの変形形態である。
【図４ｂ】図２のパネルの変形形態である。
【図５】本発明に係るハイブリッドソーラーパネルの概略的下面図であり、足場要素は板の形を呈している。
【図６ａ】図５のハイブリッドソーラーパネルのＢ−Ｂに沿った断面図である。
【図６ｂ】図５のハイブリッドソーラーパネルのＡ−Ａに沿った断面図である。
【図７】本発明に係るハイブリッドソーラーパネルの概略的断面図である。
【図８ａ】図７のハイブリッドソーラーパネルのＡ−Ａに沿った断面図である。
【図８ｂ】図８ａのハイブリッドソーラーパネルの一変形形態の断面図である。
【図９】本発明のハイブリッドソーラーパネルの一変形形態の概略的断面図であり、交換器上に阻止手段が設置されている。
【図１０】図９の阻止手段の拡大図である。
【図１１】図１０の阻止手段のＣ−Ｃに沿った断面図である。
【図１２】ハイブリッドソーラーパネルの一変形形態の概略的断面図であり、足場要素間に断熱要素が置かれている。
【図１３ａ】ハイブリッドソーラーパネルの一変形形態の概略的断面図であり、弾性要素と交換器との間には保護板が置かれている。
【図１３ｂ】ハイブリッドソーラーパネルの一変形形態の概略的断面図であり、各弾性要素と交換器との間に保護キャップが置かれている。
【図１４】ハイブリッドソーラーパネルの一変形形態の概略的断面図であり、足場要素と弾性要素との間に維持要素が置かれている。
【図１５】図１０の阻止手段の一変形形態である。
【発明を実施するための形態】
【００２４】
本発明の対象であるソーラーパネルＰは、現状技術から公知のハイブリッドソーラーパネルであり、すなわちこのソーラーパネルは電気エネルギーと熱エネルギーを同時に生成する能力を有する。このソーラーパネルは、それが生成する電気および熱エネルギーを住宅または施設が活用できるように、単独で、または他の類似のパネルと組合せた形で使用するためのものである。
【００２５】
添付の図面、特に図１を参照すると、ソーラーパネルＰは、前面１２と背面１１を有する太陽光発電モジュール１を含んでいる。前面１２は、太陽放射を受光することができるように、ふさがれていない状態のままである。受光した太陽エネルギーの約８０％がパネルＰ内で消散する。太陽光発電モジュール１の背面１１に対面して置かれた熱交換器２の存在により、太陽光発電モジュール１内に蓄積または消散した熱を回収することが可能になる。
【００２６】
図１では、太陽光発電モジュール１は、少なくとも１つ、そして有利には同一平面内に置かれた複数の太陽光発電素子１ａを含む。これらの太陽光発電素子は互いに直列または並列に電気接続され、例えば、エチレン酢酸ビニル（ＥＶＡ）さらにはシリコーンなどの熱可塑性ポリマー１ｂ、１ｃ内でカプセル封じされて太陽光発電モジュール１を形成する。放射に曝露される太陽光発電モジュール１の前面１２は、有利には、例えばガラス板のような透明な板１ｄで被覆されている。
【００２７】
「バックシート」と呼ばれる電気絶縁性材料層が、太陽光発電モジュール１の背面１１上に付加される。この層１ｅは、電気的絶縁に加えて、太陽光発電モジュール１と熱交換器２との間の気密性の機能も保証する。この層１ｅは例えば、ポリフッ化ビニルフィルムであり得、雨水および／または周囲空気の湿気が太陽光発電モジュール１と直接接触するのを妨げ、こうして例えば接触不良または短絡などのあらゆる電気的問題を回避することを可能にしている。
【００２８】
これらのさまざまな要素１ａ、１ｂ、１ｃ、１ｄ、１ｅはサンドイッチ形に積層され、太陽光発電の分野では公知の熱間ラミネーション法により共に維持される。
【００２９】
図３ａおよび３ｂ中、交換器２は、太陽放射を妨げないように、太陽光発電モジュール１の下に位置している。熱交換器２は、有利にはプラスチック材料製、好ましくはポリプロピレン製であるが、ポリエチレン、ポリメチルメタクリレート、ポリ硫化フェニレン、ポリ酸化フェニレン、ポリフェニレンエーテル、アクリロニトリルブタジエンスチレンさらには当業者にとって都合のよい他のあらゆる物質でできていてよい。同様に、銅またはアルミニウムなどの他のタイプの材料で製造されてもよい。これらの材料は、冷却剤により生成される腐食ならびに９０℃にまで至り得る温度に対して永続的に耐えることができる。交換器２は同様に、例えばガラス繊維で充填され、こうしてその剛性を改善できるようにするポリマーで構成されてもよい。
【００３０】
典型的には水、さらにはグリコール水である冷却剤は、太陽光発電モジュール１に由来する熱量を回収するために熱交換器２内を循環する。この冷却剤は、入口区域から出口区域まで常に交換器２内を循環する。このタイプの交換器２は例えば仏国特許第２９６７８１７号明細書（ＳＯＬＡＩＲＥ  ２Ｇ）内に記載されており、当業者はこれを参照することができるであろう。
【００３１】
交換器２は、太陽光発電モジュール１の背面１１と接触するための平担な上部面２２、および下部面２１で構成されている。上部面２２および下部面２１は、好ましくは平担で互いに平行である。下部面２１の表面は例えば太陽光発電モジュール１の全表面の１０％〜１００％を占める。この表面は例えば、太陽光発電モジュール１の寸法に対応する寸法（長さおよび幅）を有し、これら２つは矩形の全体形状をしている。この表面の長さは１５０ｃｍ〜４００ｃｍであり得、幅は５０ｃｍ〜３００ｃｍと変動し、厚みは１ｍｍ〜２ｃｍで変動する。好ましくは、２０℃の温度について、交換器２の長さは太陽光発電モジュール１の長さの８５％、その幅の９５％を占める。
【００３２】
パネルＰは、好ましくはアルミニウム製またはポリマー製であり、例えば溶接またはネジ留めなどのさまざまな組立て技術を用いて互いに組立てられたＵ字形材で形成され得るフレーム８を含む。Ｕ字形材は同様に、それらの角の各々を互いに嵌込むことにより相互に組立てることもできる。このようにして、形材は、補足的な組立て要素を必要とすることなく、互いに一体化される。
【００３３】
フレーム８を断面図で示す添付図面、特に図３ａおよび３ｂを参照すると、前記フレームを形成するＵ字形材は、コア８ａを有する。このコア８ａには、その各端部にフランジ８ｂ、８ｃが備わっている。
【００３４】
太陽光発電モジュール１は、上部フランジ８ｂのレベルでフレーム８内に挿入される。フレーム８内における太陽光発電モジュール１の所定の位置での維持は、当業者にとって適切なあらゆる手段、特にネジ留めまたは接着によって、または前記モジュールが内部に収納される専用ののど部をコア８ａ内に設けることによって実現可能である。
【００３５】
本発明によると、装置が、太陽光発電モジュール１の背面１１に対し交換器２を拘束することを可能にする。この装置は、足場要素４を足場とする弾性要素３と組合せた１つまたは複数の前記足場要素４を含む手段（本明細書中の以上で説明されている）の組合せの形を呈している。この手段の組合せは、太陽光発電モジュール１に対し交換器２を効率良くかつ均一に押付けることを可能にする。弾性要素３の存在により、フレーム８の寸法上の誤差および足場要素４の誤差を効果的に吸収して、ハイブリッドソーラーパネルＰの性能を改善することができる。弾性要素は同様に、さまざまなタイプの足場要素４の偶発的な撓みを吸収することもできる。
【００３６】
拘束装置の実施形態例について、ここで説明していく。
【００３７】
第１の実施形態
図２、３ａおよび３ｂに例示されている第１の実施形態において、ハイブリッドソーラーパネルＰは、形材の形を呈する複数の足場要素４を含む。パネルＰは少なくとも３つの形材４を含むが、さらに多くの形材を含んでいてもよい。これらの形材４は、交換器２の下に、その下部面２１に対面して置かれ、その表面全体にわたり分布する。好ましくは、これらの形材は、交換器２の長さ全体にわたり、またはその幅全体にわたり、規則的間隔で設置される。このような整備により、弾性要素３の各々により加えられる圧縮力をより正しく分布させることができ、こうして、太陽光発電モジュール１の背面１１に対する交換器２のより均一な押付けが得られる。
【００３８】
形材４の数は、所望されるハイブリッドソーラーパネルＰの性能ならびに交換器２の撓みに応じて選択される。実際、交換器２の製造材料が柔軟になればなるほど、変形はより大きくなり、必要な弾性要素３の数は多くなる。その結果、形材４の数も同様により多くなるため、上述の間隔は削減される。これらの間隔は、例えば１０ｃｍ〜１００ｃｍ、好ましくは３０ｃｍに等しいものであり得る。形材４はフレーム８により所定の場所に維持されるように設置される。こうして、形材４の各端部はフレーム８内を滑り動く。形材４がフレーム８から離脱するのを避けるために、接着剤、ネジさらには粘着剤などの固定手段を使用することができる。図３ａおよび３ｂでは、形材４は、下部フランジ８ａのレベルでフレーム８内に挿入され、これらの下部フランジのレベルで足場としている。こうして、足場要素４上に弾性要素３が及ぼす圧縮力の全てまたは一部が、下部フランジ８ａのレベルでフレーム８によって取込まれる。
【００３９】
形材４は、有利には、方形、矩形さらにはＨ字形の断面の棒材の形を呈し、長さは５０ｃｍから４００ｃｍまで変動する。その幅は１ｃｍ〜１０ｃｍであり、厚みは２ｍｍから５ｃｍまで変動する。形材４の厚みは、使用される弾性要素３（本明細書中の以上で説明されている）の力に応じて選択される。実際には、応力下にある（弾性要素３の設置後）形材４の撓みは、フレーム８の折返し（または下部面）を超えてはならない。このようにして、各形材４の最下点は、フレーム８の折返しより低くはならない。換言すると、例えば図３ａおよび３ｂを参照すると、形材４が応力下にあり撓む場合、前記形材は、フレーム８を超えず、特に前記フレームの下部面を含む平面８０を超えない。こうして、フレーム８の下部面は、パネルＰの設置の際に標準的な固定用支持体上、特に平坦な支持体上に適切に固定され得る。実際、形材４が平面８０を超えないかぎりにおいて、フレーム８の下部面全体が、固定用支持体を足場として、点接触無く適正に位置付けされる。例えば、形材４の構成（詳細には断面および／または弾性率）により、前記形材の撓みを制限することができる。前述のＡ．ＫＲＯＩＳＳらの論文中および米国特許出願公開第２０１５／３４９１７８号明細書中に記載のソーラーパネルにおいて、弾性要素の足場となる形材は、フレームの外に位置し、こうして、このフレームが標準的固定用支持体上に適切に固定され得ない、という点が留意されるであろう。
【００４０】
図３ｂでは、形材４は、好ましくは、底壁４１と２つの側方分岐４２ａ、４２ｂを含むＵ字形材の形を呈している。２つの分岐４２ａ、４２ｂは、ソーラーパネルＰの設計の際に交換器２の下部面２１に対面して置かれる開口部を画定する。この開口部は、弾性要素３が底壁４１を足場とするように弾性要素３を挿入できるようにする。このタイプの形材は、弾性要素３の所定の位置での維持を保証し、パネルＰの美観を改善するためにこれらの弾性要素を隠し、潜在的な取扱いミスからこれらの弾性要素を保護することに貢献する。
【００４１】
弾性要素３は好ましくは、前方端部３２および後方端部３１を含む圧縮コイルばねの形を呈する。ただし、これらの弾性要素は、例えば板ばねさらには交換器２上に圧縮力を及ぼすように適応された他の全ての要素など、同じ機能を有する他の形を呈することができる。これらのばね３は、好ましくは、腐食を回避しその寿命を延長させるようステンレス鋼製である。これらのばねは同様に、他のあらゆる金属を用いて製造することができ、亜鉛メッキコーティングされていてもまたはされていなくてもよい。ばね３は同様に、交換器２と前記ばね３との間のあらゆる熱損失を避けるためプラスチック製であってもよい。プラスチック製のばね３によって、同様に、交換器２の下部面２１のあらゆる損傷を回避することもできる。ばね３は、５ｍｍ〜５ｃｍの高さを有する。ばねは、５Ｎ〜７０Ｎ、好ましくは８Ｎ〜１２Ｎの圧縮力を有する。ハイブリッドソーラーパネルＰに所望される性能に応じて、その撓みに関する一定の誤差が許容される。この特性により、（以上で説明されていた通りの）使用されるばね３の数と同時にその力も決定される。選択されたばね３は全て、同じ力を有することができるが、同様に異なる力を有することもできる。冷却液の入口区域および出口区域のレベルに置かれるばね３は、例えば交換器２の中心レベルに置かれるばね３の力を上回る力を有することができる。
【００４２】
図３ａおよび３ｂ上に例示されているように、ばね３は、その後方端部３１が形材４を足場としその前方端部３２が交換器２の下部面２１上に圧縮力を及ぼすような形で位置付けされる。複数のバネ３は各形材４の長さ内で分布し（図２）、形材４当たりのばね３の数は２から１５まで変動し得る。パネルＰの使用に際して、交換器２は、特にその長さおよびその幅のレベルで、温度の変化に起因する変形を受ける。交換器２と足場要素４との間にばね３が存在することで、交換器２を太陽光発電モジュール１に押付けながら、この交換器の偶発的な膨張に起因する変形が可能になる。その上、足場要素４は、フレーム８により所定の場所に維持されていることから、ばね３が前記足場要素４上に圧縮力を及ぼした時点で、この力の少なくとも一部分は前記フレーム８により取込まれる。こうして、圧縮力は、形材４の各端部に伝達され、その結果この力は、前記端部が内部を滑り動くフレーム８によって取込まれる。
【００４３】
Ｕ字形材４を使用することにより、ばね３の後方端部３１は、底壁４１に接して、２つの分岐４２ａ、４２ｂ間に収納されることになる。この構成により、ばね３を保護すると同時にパネルＰの美観を改善し、ソーラーパネルＰの使用の際のばね３の望ましくない短手方向の移動を回避することができる。
【００４４】
ばね３は、全てが整列する（図４ａ）すなわち行および列に配置されるように、パネルＰの背面に分布することができる。しかしながら、ばね３は、前記ばね３全体を考慮してこれらのばねが５点形に配設されるような形で、形材毎にずれるように（図４ｂ）配置されてよい。この構成は、ばね３の圧縮力の効果の下で交換器２の撓みを削減するのに貢献し、その結果、太陽光発電モジュール１に対する前記交換器２の押付けの一様性を改善する。
【００４５】
ソーラーパネルＰは、交換器２に固定され、またパネルＰの長さ（縦方向軸Ｘ）および幅（横方向軸Ｙ）の方向の並進運動について交換器２を阻止するために形材４と相互作用する少なくとも１つの阻止要素５を含んでいる。好ましくは、阻止要素５は交換器２に固定され、それは、その下部面２１の中心のレベルにおいてである。この構成により、パネルＰの取り扱い中（例えば梱包、輸送さらには設置などの段階に際して）フレーム８の内部で自重下で交換器２が滑り動くあらゆるリスクを回避することができる。
【００４６】
図９、１０および１１は、このような阻止要素５の一例を例示する。この阻止要素は、底壁５１と２つの側壁５２ａ、５２ｂを含むＵ字形材の形を呈する。底壁５１は、溶接、さらには接着などの固定技術を用いて交換器２の下部面２１のレベルに固定される。形材４の１つは、壁５２ａ、５２ｂ間で滑り動き、こうして交換器２を（方向Ｘおよび／またはＹに沿った）並進運動について阻止することが可能となる。このような構成により、交換器２が移動しその端部にある流体コネクタの破損をひき起こすことが回避される。その上、交換器２の下部面２１の中心に阻止手段５を置くことにより、（昼間の太陽放射の存在下での太陽光発電モジュール１の温度上昇および夜間の周囲温度でのその冷却に起因する）交換器２の対称的膨張が可能になる。こうして、パネルＰの使用の際には、交換器２の一方の側のみの（幅および長さにおける）ｘｍｍの膨張があるのではなく、各々の側のレベルでのｘ／２ｍｍの膨張が観察される。
【００４７】
図１０および１１上で、拘束装置は、パネルＰの設計の際に形材４を所定の位置でより一層安定させることのできるアセンブリ５５を含む。このアセンブリ５５は、阻止要素５上に置かれた雌要素５５ｂと協働する形材４上に位置する雄要素５５ａを含む。詳細には、形材４の少なくとも１つ、好ましくは２つの分岐４２ａ、４２ｂが、Ｕ字形の外に向いて突出するピンの形を呈する雄要素５５ａを含む。これと並行して、阻止要素５は、ピン５５ａが収納される対応する溝５５ｂを含む。
【００４８】
図１５に表わされている一変形実施形態において、阻止要素５は、形材４の中で滑り動くようになる矩形断面の直方体である。この直方体は、２ｃｍから５ｃｍまで変動する長さおよび形材４の幅（１ｃｍ〜１０ｃｍ）に対応する幅を有する。例えばピンさらには釘（例えばステンレス鋼製の溝付釘）などの固定要素５６が、形材４内に設けられ、また直方体５内に実現されたオリフィス（図示せず）と整列して置かれたオリフィス５７の内部に挿入される。固定要素５６は、交換器２の下部面２１に一体化される。この構成は、直方体５（ひいては交換器２）が前記形材４に沿って並進運動して動くのを妨げ、一方Ｕ字形の分岐４２ａ、４２ｂは横方向に該直方体が動くのを妨げる。
【００４９】
図１２上で、パネルＰは、前記交換器２による熱の回収を改善しその結果前記パネルＰの効率を高めるために、交換器２の下部面２１のレベルでの熱損失の削減を可能にする断熱要素６ａを含む。断熱要素６ａは、例えば、グラスウールまたはロックウールなどの非固形材料の形を呈することができる。この図の場合、断熱要素６ａは異なる足場要素４間に置かれている。この断熱要素は、形材４および／またはフレーム８に固定された底部板（図示せず）により所定の位置に維持される。この板は、例えば、ネジまたはボルト、粘着剤さらには溶接、接着により、形材４および／またはフレーム８に固定され得る。
【００５０】
断熱要素６ａは、同様に、ポリスチレン、ポリウレタン、ポリエチレン、さらにはポリプロピレンなどの固形材料の板の形を呈することもできる。これらの板は、形材４間に配置され、自然に所定の位置に維持されるように、部分的にフレーム８の下を滑り動き得る。これらの板は同様に、接着剤、さらには粘着剤などの手段によって、形材の側壁４２ａ、４２ｂ上に固定されてもよい。
【００５１】
第２の実施形態
図５、６ａおよび６ｂは、足場要素４が板の形を呈している第２の実施形態を説明する。この板は交換器２の下に配置され、好ましくは前記交換器２の下部面２１の表面全体にわたり延在する。この板４は、ポリマー材料（ポリスチレン、ポリウレタン、ポリエチレンなど）さらには金属などの剛性材料で製造される。ばね３の後方端部３２は、前記板４の上部面４１を足場とし、一方その前方端部３１は交換器２の下部面２１に接して置かれ、こうして圧縮力をこの交換器に加えこの交換器を太陽光発電モジュール１の背面に押付けることを可能にしている。板４は、交換器２の下部面２１の長さおよび幅寸法に類似する長さおよび幅寸法を有する。この板の長さは１５０ｃｍ〜４００ｃｍであり、幅は５０ｃｍから３００ｃｍまで変動する。その厚みは、使用される材料により左右され、２ｍｍ〜４ｃｍである。先行する実施形態について説明されたものと同等の要領で、厚みはパネルＰの撓みに左右されることになる。厚みは、最下点がフレーム８の折返しであることを保証するように選択される。
【００５２】
第１の実施形態と同じ形で、板４は、所定の位置に維持されるようにフレーム８内を滑り動く。この板４は、その短手方向の縁部のレベルでのみ維持され得る。しかしながら、この板は、長手方向の縁部のレベルで、またはその周囲全体にわたり維持され得る。この板は同様に、接着剤、粘着剤さらにはネジまたはボルトなどの固定手段によって、フレーム８に一体化され得る。このような構成により、板４上にばね３によって及ぼされる圧縮力の少なくとも一部分が、フレーム８により取込まれることが可能になる。好ましい一実施形態によると、板４は、下部フランジ８ａのレベルでフレーム８内に挿入され、これらのフランジのレベルで足場としている。こうして、板４に対して弾性要素３により及ぼされた圧縮力の全てまたは一部は、下部フランジ８ａのレベルでフレーム８によって取込まれる。
【００５３】
好ましい一実施形態において、板４は、ハニカム状である。このタイプの板によると、パネルＰがより一層剛化されることに加えて、ばね３が足場とすることおよびソーラーパネルを断熱することを可能にすることからなる２重の役目を、ハニカム状の板が果たすことを理由として、（明細書の以上で説明された）補足的な断熱材の使用を必要とせずにすむ。
【００５４】
第１の実施形態に関連して先に説明したように、板４が応力下にあり撓んでいる場合でも、前記板は、フレーム８を超えず、特に前記フレームの下部面を含む平面８０を超えない。例えば、ハニカム状の板４を使用すると、前記板の撓みを制限することができる。
【００５５】
使用されるばね３は、先行実施形態において説明されたものと同じである。これらのばねは、好ましくは、板４の表面全体にわたり均一に分布しているが、場合によってはランダムに置かれてもよい。先行実施形態について説明したように、５点形での整備は、交換器２の撓みの削減に貢献し、その結果として、太陽光発電モジュール１に対する前記交換器２の押付けの一様性を改善する。
【００５６】
この実施形態は、場合によって、交換器２レベルの熱損失を削減するため先の実施形態について説明したものなどの補足的な断熱要素を含むことができる。図６ａおよび図６ｂ中、断熱要素は、ソーラーパネルＰの断熱を改善するように、板４の下、より詳細にはその下部面４ｂに接して位置することになる板４０の形を呈している。この断熱板４０は、先の実施形態について説明したものに類似する材料で製造される。この板は、例えば、溶接または接着さらには粘着剤の使用などの固定手段によって、板４に固定され得る。この板は、１５０ｃｍ〜４００ｃｍの長さと、５０ｃｍから３００ｃｍまで変動する幅を伴って、板４の下部面４ａ全体にわたり存在する。その厚みは、使用される材料に応じて２ｍｍ〜１５ｃｍである。
【００５７】
有利には、第１の実施形態に関連して先に説明したように、パネルＰの長さ（縦方向軸Ｘ）および幅（横方向軸Ｙ）の方向での並進運動について交換器２を阻止するために板４と相互作用する、交換器２に固定された阻止要素を使用する。この阻止要素５は、図１０または１５上で説明されているものと類似する。
【００５８】
第３の実施形態
図７および８ａは、先に説明した第１の実施形態と等価の補足的な実施形態を説明する。フレーム８内への足場要素４の挿入および阻止要素５の使用は、この実施形態にあてはまる。
【００５９】
ばね３は波形バンド７で置換されている。このバンドは、ソーラーパネルＰの使用中に実質的に変形可能となり得るように、半剛性材料で製造される。この材料は、例えばポリエチレン、ポリスチレン、ポリウレタンなどであり得る。
【００６０】
図８ａが示すように、各々の波形バンド７は、上位点７ａと下位点７ｂを有する波形を含む。波形バンド７の上位点は、交換器２の下部面２１と接触しており、太陽光発電モジュール１の背面１１に交換器を押付けることを可能にする。波形は弾性要素３として役立ち、多数の点において交換器２に対し圧縮力を及ぼし、こうして押付けの均一性を改善できるようにしている。下位点７ｂは、形材４を足場としている。多数のばねの代りに唯一のバンド７が各々の形材内に設置されることから、この構成によりパネルのより迅速な設計が可能になる。その上、このような波形バンド７の使用は、ばねを使用する際に突発する可能性のある交換器の下部面２１の破損を回避する。さらに、このようなバンド７の原価は、ばねの使用に比べ低減される。
【００６１】
第４の実施形態
図８ｂは、先に説明した第２の実施形態の一変形形態を例示する。フレーム８内の板４の挿入および阻止要素５の使用は、この実施形態にあてはまる。
【００６２】
ばねは、少なくとも１つの波形の板７によって置換される。この板７は、図８ｂに例示されているように、交換器２の下部面２１全体にわたり延在し得る。代替的には、より小さいサイズの板７を下部面２１の表面全体にわたり一様に分布させることができる。好ましくは、これらの板は、交換器２の長さ全体にわたってかまたはその幅全体にわたって、規則的な間隔で設置される。
【００６３】
波形の板７は、交換器２の寸法に対応する寸法を有する。その長さは１５０ｃｍから４００ｃｍまで変動し、その幅は５ｃｍ〜３００ｃｍである。波形の板は、使用される材料により左右され、１ｍｍから４ｃｍまで変動し得る厚みを有する。
【００６４】
第３の実施形態の場合と同じ形で、板７は、上位点７ａと下位点７ｂを有する波形を含む。波形の板７の上位点は、交換器２の下部面２１と接触しており、太陽光発電モジュール１の背面１１に交換器を押付けることを可能にする。波形は弾性要素３として役立ち、多数の点において交換器２に対し圧縮力を及ぼし、こうして押付けの均一性を改善できるようにしている。下位点７ｂは、板４を足場としている。
【００６５】
ばねの形を呈する弾性要素３を含む第１および第２の実施形態において、ソーラーパネルＰは、保護手段９ａ、９ｂを有することができる。これらの保護手段９ａ、９ｂは、交換器２の下部面２１と各ばね３の前方端部３２との間に置かれる。これらの保護手段９ａ、９ｂは、ばね３が交換器２の下部面２１を貫通するのを回避できるようにする。
【００６６】
これらの保護手段は、交換器２の下に位置付けされる板９ａの形を呈することができる（図１３ａ）。この板９ａは、先に明記した交換器２の寸法と類似の寸法を有する。この板は、例えば鋼、アルミニウムさらにはプラスチックまたは発泡プラスチックなどの任意のタイプの材料で製造され得る。これらの保護手段は同様に、平らな底面をもつキャップ９ｂ（図１３ｂ）の形を呈することもできる。板９ａと同様に、これらのキャップ９ｂは、任意の材料で製造され得る。これらのキャップは、１ｃｍ〜１０ｃｍの直径および、使用される材料に応じて１ｍｍから１ｃｍまで変動する厚みを有する。代替的には、これらの保護手段は、小さなクッション、例えば発泡プラスチック製の要素、好ましくは発泡プラスチック製の小さなクッションの形を呈することができる。発泡プラスチック製の要素および／またはキャップの形状はさまざまであり得、例えば正方形、星形、丸形さらには矩形であってよい。
【００６７】
上記に説明された実施形態における本発明のさまざまな要素および／または手段および／またはステップの配列は、全ての実装においてこのような配列を要求するものとして理解されてはならない。いずれにせよ、本発明の精神および範囲から逸脱することなく、これらの要素および／または手段および／またはステップに対して種々の修正を加えることができるということが分かる。特に、
−  熱交換器２は、例えば金属（例えば鋼、ステンレス鋼、アルミニウムまたは銅）さらには複合材料などの異なる材料で製造可能である。
−  弾性要素３を所定の位置に維持するように、前記弾性要素３と足場要素４（図１４）との間に維持要素１０を追加することができる。この維持要素は、例えば粘着剤の形、さらにはクリップの形を呈することができる。
−  各々のばね３の前方端部３２は、交換器２の下部面２１に擦り傷を付けたりこの下部面を貫通することのないように研磨され得る。
−  太陽光発電モジュール１と交換器２との間には、補足的な板が存在してもいなくてもよい。
−  板４および波形の板７は、先に言及したものと異なる寸法を有することができ、例えば交換器２の表面の半分または３分の１しか覆わなくてもよい。
−  板および／または波形バンド７の波形の度合いは変動し得る。
【符号の説明】
【００６８】
１  太陽光発電モジュール
２  熱交換器
３  弾性要素
４  足場要素
５  阻止要素
８  フレーム
１１  背面
１２  前面
２１  下部面
２２  上部面
【図１】
2019510381.tif 000003
【図２】
2019510381.tif 000004
【図３ａ】
2019510381.tif 000005
【図３ｂ】
2019510381.tif 000006
【図４ａ】
2019510381.tif 000007
【図４ｂ】
2019510381.tif 000008
【図５】
2019510381.tif 000009
【図６ａ】
2019510381.tif 000010
【図６ｂ】
2019510381.tif 000011
【図７】
2019510381.tif 000012
【図８ａ】
2019510381.tif 000013
【図８ｂ】
2019510381.tif 000014
【図９】
2019510381.tif 000015
【図１０】
2019510381.tif 000016
【図１１】
2019510381.tif 000017
【図１２】
2019510381.tif 000018
【図１３ａ】
2019510381.tif 000019
【図１３ｂ】
2019510381.tif 000020
【図１４】
2019510381.tif 000021
【図１５】
2019510381.tif 000022
【国際調査報告】
2019510381.tif 000023
2019510381.tif 000024
2019510381.tif 000025
2019510381.tif 000026
2019510381.tif 000027
2019510381.tif 000028